(57)【特許請求の範囲】
【請求項１】
空気を吹き出す室内ファン、前記室内ファンから吹き出された前記空気との間で熱交換を行う熱交換器、該熱交換器で凝縮したドレン水を貯留するドレンパン、該ドレンパンに貯留された前記ドレン水を排水する排水ポンプ、及び前記室内ファンと前記熱交換器と前記ドレンパンと前記排水ポンプとを収容する筐体を備える空気調和機に設けられ、前記排水ポンプと排水用管路との間に介在されるソケットであって、
前記筐体に取り付けられて該筐体の外側に延びる筒状をなし、かつ、光透過性を有する材料によって形成され、前記排水用管路に接続可能な外側筒部を有し、
前記外側筒部の外面には、該外側筒部が前記筐体に取り付けられた状態で、かつ、前記ドレンパンが所定の位置に据え付けられた状態で水平方向に延びる水平線部が設けられており、
前記水平線部は、前記外側筒部の外面の異なる位置で、かつ、同じ高さの位置に対をなして平行に設けられているソケット。
【請求項２】
前記外側筒部の下端部よりも自身の下端部が上方に位置して前記外側筒部から前記筐体の内側に延び、前記外側筒部の内側と前記筐体の内側とを連通するとともに前記排水ポンプに取り付けられた接続用管路に接続可能な内側筒部をさらに有する請求項１に記載のソケット。
【請求項３】
前記外側筒部は円筒状をなし、
前記内側筒部は前記外側筒部よりも小径な円筒状をなし、
前記外側筒部の中心軸線と前記内側筒部の中心軸線とが一致するか、又は交差する請求項２に記載のソケット。
【請求項４】
空気を吹き出す室内ファンと、
前記室内ファンから吹き出された前記空気との間で熱交換を行う熱交換器と、
前記熱交換器で凝縮したドレン水を貯留するドレンパンと、
前記ドレンパンに貯留された前記ドレン水を排水する排水ポンプと、
前記室内ファンと前記熱交換器と前記ドレンパンと前記排水ポンプとを収容する筐体と、
前記排水ポンプと排水用管路との間に介在される請求項１から３のいずれか一項に記載のソケットと、
を備える空気調和機。
【請求項５】
空気を吹き出す室内ファン、前記室内ファンから吹き出された前記空気との間で熱交換を行う熱交換器、該熱交換器で凝縮したドレン水を貯留するドレンパン、該ドレンパンに貯留された前記ドレン水を排水する排水ポンプ、前記室内ファンと前記熱交換器と前記ドレンパンと前記排水ポンプとを収容する筐体、及び前記排水ポンプから延びる接続用管路と排水用管路との間に介在されるソケットを備える空気調和機の据付方法であって、
前記筐体に取り付けられ、該筐体の外側に延びる筒状をなし、かつ、光透過性のある材料によって形成されて前記排水用管路に接続可能な前記ソケットにおける外側筒部の内側に液体を滞留させる工程と、
前記外側筒部の内側の液体の液面と、前記外側筒部の外面に設けられて、該外側筒部が前記筐体に取り付けられた状態で、かつ、前記筐体が所定の位置に据え付けられた状態で水平方向に延びる水平線部との角度ズレを確認する工程と、
前記水平線部と、前記液体の液面との角度ズレを解消するように前記ドレンパンの位置を調整して前記空気調和機を据え付ける工程と、
を含む空気調和機の据付方法。
【発明の詳細な説明】
【技術分野】
【０００１】
本発明は、室内空調を行う空気調和機に設けられるソケット、ソケットを備える空気調和機、及びこの空気調和機の据付方法に関する。
【背景技術】
【０００２】
工場、オフィスビル、家庭等に設置され、室内の空調を行う空気調和機が知られている。空気調和機は圧縮機等を有する室外機と、室内ファン等を有する室内機とによって構成されており、温度や湿度が調整された空気が室内機から室内に供給されるようになっている。
【０００３】
空気調和機の室内機には室内の空気が取り込まれ、この空気が熱交換器を通過した後に室内に吹き出されるようになっている。ここで冷房運転の際に熱交換器で室内の空気が冷却されると、空気に含まれる水蒸気が凝縮してドレン水が発生する。このため、このドレン水を貯留するドレンパン、及びドレンパンからのドレン水の排水を行う排水ポンプが空気調和機に設けられている。
【０００４】
ドレンパンにはドレン水が貯留されるため、空気調和機を設計上の正しい位置に（例えばドレンパンが水平面上に配置された状態や、ドレンパンが水平面から所定角度傾斜した状態となるように）設置しなければ、ドレンパンからの水漏れが発生する可能性があり、好ましくない。そこで特許文献１の空気調和機では、立ち上がり管を別途設けることで水平面に対するドレンパン（水受）の勾配を確認できるようにし、ドレンパンを正しく据え付けられるようにしている。
【先行技術文献】
【特許文献】
【０００５】
【特許文献１】特開平７−８３４６１号公報
【発明の概要】
【発明が解決しようとする課題】
【０００６】
しかしながら、特許文献１の空気調和機のように、ドレンパンの勾配を検出するための構造を別途で設ける場合にはコストアップや、設置スペースが必要となるといった問題が生じる。
また従来は、水準器や水入りホース等を用いてドレンパンの勾配を確認していたが、例えば天井裏のスペースに室内機を設置する場合、作業スペースが小さく、水準器や水入りホース等を用いてのドレンパンの勾配の確認作業には、非常に手間を要するといった問題がある。
【０００７】
本発明は、上記課題を解決するためになされたものであって、コストを抑えつつ、容易にドレンパンの設置位置を調整可能なソケット及び空気調和機と、ソケットを用いた空気調和機の据付方法を提供する。
【課題を解決するための手段】
【０００８】
上記課題を解決するために、本発明は以下の手段を提案している。
本発明の第一の態様に係るソケットは、空気を吹き出す室内ファン、前記室内ファンから吹き出された前記空気との間で熱交換を行う熱交換器、該熱交換器で凝縮したドレン水を貯留するドレンパン、該ドレンパンに貯留された前記ドレン水を排水する排水ポンプ、及び前記室内ファンと前記熱交換器と前記ドレンパンと前記排水ポンプとを収容する筐体を備える空気調和機に設けられ、前記排水ポンプと排水用管路との間に介在されるソケットであって、前記筐体に取り付けられて該筐体の外側に延びる筒状をなし、かつ、光透過性を有する材料によって形成され、前記排水用管路に接続可能な外側筒部を有し、前記外側筒部の外面には、該外側筒部が前記筐体に取り付けられた状態で、かつ、前記ドレンパンが所定の位置に据え付けられた状態で水平方向に延びる水平線部が設けられており、前記水平線部は、前記外側筒部の外面の異なる位置で、かつ、同じ高さの位置に対をなして平行に設けられている。
【０００９】
このようなソケットによれば、仮にドレンパンが所定の位置（水平面上又は、水平面に対して傾斜した位置であって、ドレンパンが設計上正しく据え付けが行われた場合の位置）に設置されない状態では、水平線部は水平方向には延びず、水平方向に対して傾斜した方向に延びるように配置されることになる。この際、外側筒部は光透過性を有しているので、例えば排水ポンプによって吸い上げたドレン水等の液体がソケット内に滞留した状態で外側筒部を外方から見た際に、液面と水平線部とが一致、もしくは、平行にはならないことを確認できる。従って、これら液面と水平線部とが一致、もしくは、平行となるように空気調和機（室内機）の勾配を調整することで、ドレンパンの傾きを調整し、ドレンパンが正しい据え付け位置に配置されるように、ドレンパンの位置調整が可能となる。
さらに、ソケットは排水ポンプと排水用管路とを接続するものであるため、このソケットは空気調和機に元々必要なものである。本発明では、ソケットに水平線部を設けるのみでドレンパンを所定の位置に設置することが可能である。即ち、空気調和機に別途の部材を新たに設けることなく、ドレンパンの位置調整が可能となる。
また、水平線部が同じ高さ位置で外側筒部に対をなして設けられていることで、外側筒部を外方から見た場合、外側筒部内の液体の液面と水平線部とが平行になっていても、液体の液面と水平線部との高さ方向の位置ズレ量が各々の水平線部で異なれば、水平線部の延びる方向に直交する方向にドレンパンが傾いていることがわかる。これにより、水平線部が延びる方向へのドレンパンの傾きだけでなく、水平線部に直交する方向へのドレンパンの傾きも確認でき、さらに正確に、所定の正しい据え付け位置にドレンパンを配置して設置することが可能となる。
【００１０】
また、本発明の第二の態様に係るソケットは、上記第一の態様における前記外側筒部の下端部よりも自身の下端部が上方に位置して前記外側筒部から前記筐体の内側に延び、前記外側筒部の内側と前記筐体の内側とを連通するとともに前記排水ポンプに取り付けられた接続用管路に接続可能な内側筒部をさらに有していてもよい。
【００１１】
このように内側筒部の下端部が外側筒部の下端部よりも上方に位置することで、内側筒部の下端部よりも下方で、外側筒部の内側に液体が滞留し易くなる。即ち、内側筒部と外側筒部との間に形成される段差によって液体が外側筒部から流出してしまうことを抑制できる。従って、より確実に液面の位置と水平線部の位置とを比較することができ、ドレンパンを所定の正しい据え付け位置に配置して設置することが可能となる。
【００１２】
また、本発明の第三の態様に係るソケットでは、上記第二の態様における前記外側筒部は円筒状をなし、前記内側筒部は前記外側筒部よりも小径な円筒状をなし、前記外側筒部の中心軸線と前記内側筒部の中心軸線とが一致するか、又は交差していてもよい。
【００１３】
このようなソケットでは、内側筒部の下端部が外側筒部の下端部よりも上方に位置することになり、ソケット内で内側筒部の下端部と外側筒部の下端部との間に液体が滞留し易くなる。従って、より確実に液面の位置と水平線部の位置とを比較することができ、所定の正しい据え付け位置にドレンパンを配置して設置することが可能となる。
【００１６】
また、本発明の第四の態様に係る空気調和機は、空気を吹き出す室内ファンと、前記室内ファンから吹き出された前記空気との間で熱交換を行う熱交換器と、前記熱交換器で凝縮したドレン水を貯留するドレンパンと、前記ドレンパンに貯留された前記ドレン水を排水する排水ポンプと、前記室内ファンと前記熱交換器と前記ドレンパンと前記排水ポンプとを収容する筐体と、前記排水ポンプと排水用管路との間に介在される上記第一から第三のいずれかの態様におけるソケットと、を備えている。
【００１７】
このような空気調和機によれば、上記のソケットを備えていることで、例えば排水ポンプによって吸い上げたドレン水等の液体がソケット内に滞留した状態で、この液面と水平線部とが平行となるようにすることで、ドレンパンを所定の正しい据え付け位置に設置することが可能となる。さらに、ソケットに水平線部を設けるのみでドレンパンを所定の位置に設置することが可能であるため、別途の部材を新たに設けることなく、ドレンパンの位置調整が可能となる。
【００１８】
また、本発明の第五の態様に係る空気調和機の据付方法は、空気を吹き出す室内ファン、前記室内ファンから吹き出された前記空気との間で熱交換を行う熱交換器、該熱交換器で凝縮したドレン水を貯留するドレンパン、該ドレンパンに貯留された前記ドレン水を排水する排水ポンプ、前記室内ファンと前記熱交換器と前記ドレンパンと前記排水ポンプとを収容する筐体、及び前記排水ポンプから延びる接続用管路と排水用管路との間に介在されるソケットを備える空気調和機の据付方法であって、前記筐体に取り付けられ、該筐体の外側に延びる筒状をなし、かつ、光透過性のある材料によって形成されて前記排水用管路に接続可能な前記ソケットにおける外側筒部の内側に液体を滞留させる工程と、前記外側筒部の内側の液体の液面と、前記外側筒部の外面に設けられて、該外側筒部が前記筐体に取り付けられた状態で、かつ、前記筐体が所定の位置に据え付けられた状態で水平方向に延びる水平線部との角度ズレを確認する工程と、前記水平線部と、前記液体の液面との角度ズレを解消するように前記ドレンパンの位置を調整して前記空気調和機を据え付ける工程と、を含んでいる。
【００１９】
このような空気調和機の据付方法によれば、水平線部が設けられたソケットを用いて空気調和機を据え付けることで、例えば排水ポンプによって吸い上げたドレン水等の液体をソケット内に滞留させた状態で、この液面と水平線部とが平行となるようにすることで角度ズレを解消でき、ドレンパンを正しい据え付け位置に調整することが可能となる。さらに、ソケットに水平線部を設けるのみで、ドレンパンを所定の位置に設置することが可能であるため、空気調和機に別途の部材を新たに設けることなく、ドレンパンの位置調整が可能となる。
【発明の効果】
【００２０】
上記のソケット、空気調和機、及び空気調和機の据付方法によれば、ソケットの外側筒部に水平線部を設けることでコストを抑えつつ、容易にドレンパンの設置位置を調整可能である。
【図面の簡単な説明】
【００２１】
【図１】本発明の実施形態における空気調和機を示す側面図である。
【図２】本発明の実施形態における空気調和機を示す上面図である。
【図３】本発明の実施形態における空気調和機のソケットを示す側面図である。
【図４】本発明の実施形態における空気調和機のソケットを下方からみた図であって、図３のＸ矢視図である。
【図５】本発明の実施形態における空気調和機の据付方法の手順を示すフロー図である。
【図６】本発明の実施形態の第一変形例における空気調和機のソケットを示す側面図である。
【図７】本発明の実施形態の第二変形例における空気調和機のソケットを示す側面図である。
【発明を実施するための形態】
【００２２】
以下、本発明の実施形態における空気調和機１について説明する。
図１に示すように、空気調和機１は、室外の空気と冷媒ＲＦとの間で熱交換を行う室外機１１と、室外機１１とともに冷媒ＲＦの循環する冷凍サイクルを構成し、室内の空気Ａと冷媒ＲＦとの熱交換を行って熱交換後の空気Ａを室内に吹き出す室内機１０とを有している。
【００２３】
室外機１１は、詳細な図示は省略するが、圧縮機、四方切換弁、熱交換器、室外ファン、電子膨張弁（ＥＥＶ）、アキュームレータ、コントローラ等を有して構成されている。
【００２４】
室内機１０は、空気Ａを吹き出す室内ファン１３と、室内ファン１３から吹き出された空気Ａが通過する熱交換器１４と、熱交換器１４で生成したドレン水Ｄを貯留するドレンパン１５と、ドレン水Ｄを排水する排水ポンプ１６と、室内ファン１３と熱交換器１４とドレンパン１５と排水ポンプ１６とを収容する筐体１９と、筐体１９に取り付けられたソケット２１とを備えている。
【００２５】
室内ファン１３は、筐体１９の内側に配置され、室内から空気Ａを取り込んでこの空気Ａを吹き出す。
【００２６】
熱交換器１４は、筐体１９の内側で室内ファン１３の空気吹出口に対向して配置され、室内ファン１３からの空気Ａを通過させることで、空気Ａと冷媒ＲＦとの間で熱交換を行う。
【００２７】
ドレンパン１５は、筐体１９の内側で熱交換器１４の下方に配置され、室内ファン１３からの空気Ａが熱交換器１４を通過する際に生じるドレン水Ｄ（凝縮水）を貯留する。
ここでドレン水Ｄは、空気調和機１の冷房運転中に、室内ファン１３から吹き出される空気Ａが熱交換器１４で冷却されることで、空気Ａ中の水蒸気が凝縮して生成される。
【００２８】
排水ポンプ１６は、筐体１９の内側に配置され、ドレンパン１５に貯留されたドレン水Ｄを吸い上げて筐体１９の外側に向けて圧送する。排水ポンプ１６にはドレン水Ｄが流通する接続用配管（接続用管路）１７が設けられている。
【００２９】
筐体１９は、箱状をなして室内ファン１３と熱交換器１４とドレンパン１５と排水ポンプ１６とを収容した状態で、例えば空調対象となる部屋の天井裏等に設置される。
【００３０】
次に、ソケット２１について詳細を説明する。
ソケット２１は、図１及び図２に示すように、筐体１９に外面から取り付けられることで排水ポンプ１６から延びる接続用配管１７と、筐体１９の外部に設置された現地配管である排水用配管（排水用管路）２５との間に介在されている。またソケット２１は、光透過性を有する材料（樹脂等）によって形成されており、透明又は半透明となっている。
【００３１】
図３に示すように、ソケット２１は、筐体１９の外側に延びる筒状をなす外側筒部３１と、外側筒部３１における筐体１９側の端部に一体に設けられて外側筒部３１の径方向外側に突出するフランジ部３２と、フランジ部３２から外側筒部３１とは反対側に延びて筐体１９を貫通する内側筒部３３とを有している。
【００３２】
内側筒部３３は円筒状をなし、筐体１９の内側に延びて、筐体１９の内側で排水ポンプ１６に設けられた接続用配管１７に嵌り込んでいる。
【００３３】
フランジ部３２は、図２に示すように、筐体１９の角部１９ａで筐体１９の外面に接触して設けられ、ボルト３０が貫通して筐体１９に取り付けられている。本実施形態では筐体１９の角部１９ａはＣ面取りされたような形状をなしており、この面取り部分にフランジ部３２の表面が接触している。図４に示すように、フランジ部３２には内側筒部３３の内径と同径の貫通孔３２ａが内側筒部３３の内面に連続するように形成されている。
【００３４】
外側筒部３１は、円筒状をなし、ドレン水Ｄを排水するための排水用配管２５に嵌り込むことで排水用配管２５に接続されて、排水用配管２５と内側筒部３３の内側とを連通している。また、外側筒部３１は、外側筒部３１の延在方向の中途位置まで、排水用配管２５に嵌り込んでいる（図１参照）。
【００３５】
ここで本実施形態では、内側筒部３３は、外側筒部３１よりも小径に形成されている。即ち、外側筒部３１の下端部３１ａよりも内側筒部３３の下端部３３ａが上方に位置している。また、図４に示すように外側筒部３１の中心軸線Ｏ１と内側筒部３３の中心軸線Ｏ２とが交差することで、フランジ部３２を挟んで外側筒部３１と内側筒部３３とがフランジ部３２から異なる方向に延びている。即ち、ソケット２１は、中途位置で屈曲する形状をなしている。そして図２に示すように、ソケット２１が筐体１９に取り付けられた状態では、外側筒部３１は筐体１９の外面に平行に延びている。
【００３６】
さらに、外側筒部３１の外面には、ソケット２１が筐体１９に取り付けられた状態で、かつ、ドレンパン１５が所定の位置に据え付けられた状態で外側筒部３１の外面の全域にわたって水平方向に延びる水平線部３５が設けられている。
本実施形態では、ドレンパン１５の所定の位置とはドレンパン１５が水平面上に配置される位置を示す。
【００３７】
水平線部３５は、外側筒部３１の外面に形成された溝や外側筒部３１の外面から突出する凸部である。溝や凸部は、ソケット２１を成形する際に一体で成形することが可能である。また水平線部３５は、単に外側筒部３１の外面にマーカー等で描いた線であってもよい。
【００３８】
水平線部３５は、本実施形態では、図３及び図４に示すように外側筒部３１の外面の異なる位置で、かつ、同じ高さの位置で、周方向に離間して対をなして設けられている。同じ高さの位置とは、任意の水平面からの鉛直方向の距離が同じとなる位置を示す。
【００３９】
ここで、外側筒部３１の下端部３１ａと、下端部３１ａより上方に位置する内側筒部３３の下端部３３ａとの鉛直方向の高さ位置の差によって外側筒部３１に液体が溜まるようになっている。そして、外側筒部３１に溜まる液体の液量と、溜まる液体の液面の水平面に対する傾斜角度とを考慮して、水平線部３５を設ける位置が決定される。
【００４０】
次に、図５を参照して、上記の空気調和機１の据付方法について説明する。
まず、空気調和機１の室内機１０を天井裏等の据え付け位置に配置し、室内機１０の仮止めを行う工程Ｓ１を実行する。
次に、外側筒部３１の内側に水等の液体を滞留させる工程Ｓ２を実行する。この工程では、例えばドレンパン１５に水を溜めた後に排水ポンプ１６を一定時間駆動して、外側筒部３１の内側に水を滞留させる。
【００４１】
さらに、外側筒部３１の内側の液体の液面と、外側筒部３１に設けられた水平線部３５との角度ズレを確認する工程Ｓ３を実行する。即ち、液面が水平面に対して鉛直方向に傾いているか否かを確認する。
この際、対をなして設けられた水平線部３５のうちの一方の水平線部３５と液面との鉛直方向の位置ズレ量と、他方の水平線部３５と液面との鉛直方向の位置ズレ量との差異を併せて確認してもよい。
【００４２】
最後に、上記の角度ズレ（及び鉛直方向の位置ズレ）を解消するようにドレンパン１５及び筐体１９の位置を調整して、空気調和機１を据え付ける工程Ｓ４を実行する。
【００４３】
以上説明した本実施形態の空気調和機１によると、仮にドレンパン１５が水平に設置されない状態では、水平線部３５は水平方向に延びず、水平線部３５が水平方向に対して鉛直方向に傾斜した方向に延びるようにソケット２１が配置される。この際、液体をソケット２１内に滞留させた状態で、外側筒部３１を外方から見ると、液体の液面と水平線部３５とは平行にならない。
【００４４】
従って、これら液面と水平線部３５とが平行（もしくは一致する状態）となるようにすることで、ドレンパン１５を水平に設置でき、即ち、ドレンパン１５及び空気調和機１全体を設計上の正しい据え付け位置に調整することが可能となる。即ち、水平線部３５という簡易な構成によって、コストを抑えつつ容易にドレンパン１５及び空気調和機１全体の設置位置を調整することが可能である。
【００４５】
さらに、ソケット２１は排水ポンプ１６の接続用配管１７と排水用配管２５とを接続するものであるため、このソケット２１は空気調和機１に元々必要なものである。そして、ソケット２１に水平線部３５を設けるのみで、ドレンパン１５を設計上の正しい位置に設置することが可能となる。従って、ドレンパン１５の設置位置を調整するために別途の部材を新たに設ける必要がなくなる。
【００４６】
さらに本実施形態のソケット２１では、内側筒部３３の下端部３３ａが外側筒部３１の下端部３１ａよりも上方に位置することになり、ソケット２１内で内側筒部３３の下端部３３ａと外側筒部３１の下端部３１ａとの間に液体が滞留し易くなる。即ち、外側筒部３１の内側に滞留した液体がフランジ部３２によって堰き止められ、液体が外側筒部３１から内側筒部３３側に流出してしまうことを抑制することができる。このため、より確実に、液面の位置と水平線部３５の位置との比較を行って、ドレンパン１５及び空気調和機１全体を設計上の正しい据え付け位置に調整することが可能となる。
【００４７】
さらに、水平線部３５が同じ高さの位置で対をなして設けられていることで、一方の水平線部３５と液面との鉛直方向の位置ズレ量と、他方の水平線部３５と液面との鉛直方向の位置ズレ量との差異を併せて確認できる。このため、水平線部３５が延びる方向での水平面に対するドレンパン１５の傾きだけでなく、水平線部３５に直交する方向での水平面に対するドレンパン１５の傾きも確認できる。この結果、さらに正確に、ドレンパン１５及び空気調和機１全体を正しい据え付け位置に設置することが可能となる。
【００４８】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【００４９】
例えば、図６に示すように外側筒部３１の中心軸線Ｏ１と内側筒部３３の中心軸線Ｏ２とが交差する位置に配置されるとともに、外側筒部３１と内側筒部３３とは同径の円筒状をなしていてもよい。
【００５０】
また、図７に示すように、外側筒部３１の中心軸線Ｏ１と内側筒部３３の中心軸線Ｏ２とが鉛直方向にズレた位置に配置されるように、かつ、外側筒部３１の下端部３１ａよりも内側筒部３３の下端部３３ａが上方に位置するように外側筒部３１と内側筒部３３とが設けられていてもよい。
【００５１】
また、外側筒部３１の中心軸線Ｏ１と内側筒部３３の中心軸線Ｏ２とが一致するように、即ちソケット２１が屈曲せず、真っ直ぐに延びる形状をなしていてもよい。
【００５２】
外側筒部３１及び内側筒部３３は、円筒状をなしていなくともよく、角筒状をなしていてもよい。
【００５３】
また、上述の実施形態では、ソケット２１全体が光透過性の材料で形成されているが、外側筒部３１のみが光透過性の材料で形成されていてもよい。
【００５４】
さらに、水平線部３５は、一か所のみに設けられていてもよい。
【００５５】
また、設計上のドレンパン１５の正しい設置位置は、水平面に対して傾斜した位置であってもよい。この場合、ドレンパン１５が傾いた位置に設置された状態で、水平方向に延びるように水平線部３５を設ける必要がある。
【符号の説明】
【００５６】
１…空気調和機  
１０…室内機  
１１…室外機  
１３…室内ファン  
１４…熱交換器  
１５…ドレンパン  
１６…排水ポンプ  
１７…接続用配管（接続用管路）  
１９…筐体  
１９ａ…角部  
２１…ソケット  
２５…排水用配管（排水用管路）  
３０…ボルト  
３１…外側筒部  
３１ａ…下端部
３２…フランジ部  
３２ａ…貫通孔  
３３…内側筒部  
３３ａ…下端部  
３５…水平線部  
Ｏ１、Ｏ２…中心軸線
Ａ…空気  
Ｄ…ドレン水  
ＲＦ…冷媒  
【図１】
0006539899.tif 000002
【図２】
0006539899.tif 000003
【図３】
0006539899.tif 000004
【図４】
0006539899.tif 000005
【図５】
0006539899.tif 000006
【図６】
0006539899.tif 000007
【図７】
0006539899.tif 000008